(57)【要約】      （修正有）【課題】撥水可能で誤って挿入することを防止できるソケットを提供する。【解決手段】ソケットパネル１１０と撥水層１２０、接触部１３０及び底座１４０が備えられ、撥水層１２０が、ソケットパネル１１０の下方に設置され、少なくとも一対のスロットと少なくとも二つの段差部を有し、少なくとも二つの段差部が、少なくとも一対のスロットの周りに設置される。接触部１３０が、撥水層１２０の下方に設置され、少なくとも一対のスロットに対応した少なくとも二つの端子と少なくとも二つの端子に対応して設置された二つの導電銅シート１３４、二つの絶縁押しブロック１３６及び二つの金属シート１３８が含有される。底座１４０に、接触部１３０を収納するための開口１４２が形成され、ソケットパネル１１０と撥水層１２０とが順に、開口１４２のその一つの周縁に実装される。撥水層１２０が底座１４０の開口１４２の周縁に実装された後、撥水層１２０の四隅に対応し、四つの排水穴が形成される。【選択図】図２
0003188485.tif 000002
【実用新案登録請求の範囲】
【請求項１】
ソケットパネルと、
上記ソケットパネルの下方に設置され、少なくとも一対のスロットと少なくとも二つのつの段差部があり、上記少なくとも二つの段差部が、上記少なくとも一対のスロットの周りに設けられる撥水層と、
上記撥水層の下方に設置され、上記少なくとも一対のスロットに対応する少なくとも二つの端子があり、上記少なくとも二つの端子に対応して、少なくとも二つの導電銅シートと少なくとも二つの絶縁押しブロック及び二つの金属シートが設置される接触部と、
上記接触部を収納すうための開口が形成され、上記ソケットパネルと上記撥水層とが、順に、上記開口の一つの周縁に実装される底座と、
が含有され、
上記撥水層が、上記底座の上記開口の上記周縁に実装された後、上記撥水層の四隅に、四つの第一排水穴が形成される、
ことを特徴とするソケット。
【請求項２】
上記少なくとも一対のスロットが、二対のスロットで、上記少なくとも二つの段差部が、四つの段差部で、上記少なくとも二つの端子が、四つの端子で、少なくとも二つの導電銅シートが、四つの導電銅シートで、少なくとも二つの絶縁押しブロックが、四つの絶縁押しブロックであることを特徴とする請求項１に記載のソケット。
【請求項３】
上記二対のスロットが、それぞれ、上記ソケットパネルの左右側に設置され、上記四つの端子が、上記二対のスロットに対応して、それぞれ、上記ソケットパネル下方の上記底座の左側上下端と右側上下端に設置されることを特徴とする請求項２に記載のソケット。
【請求項４】
上記二つの金属シートが、それぞれ、上記底座の上下側に設置され、各上記絶縁押しブロックが、各上記端子と各上記金属シートとの間に設置されて、各上記端子に接触し、各上記導電銅シートの一端が、上記絶縁押しブロックに接触し、また、各上記導電銅シートのもう一端が、各上記端子のもう一端に隣り合い、また、各上記端子のもう一端に接触していないことを特徴とする請求項３に記載のソケット。
【請求項５】
上記底座ともに、各上記端子に対応して、底部があり、上記底部の四隅に、それぞれ、第二排水穴が設置される。ことを特徴とする請求項３に記載のソケット。
【請求項６】
上記導電銅シートが、Ｕ文字導電銅シートであることを特徴とする請求項１に記載のソケット。
【請求項７】
上記ソケットパネルに、飾り板や実装板及びモジュールが含有されることを特徴とする請求項１に記載のソケット。
【考案の詳細な説明】
【技術分野】
【０００１】
本考案は、ソケットに関し、特に、撥水可能で誤って挿入することを防止できるソケットに関する。
【背景技術】
【０００２】
壁に実装されるソケットは、電気製品の使用に便利的であるが、水や他の液体に濡れられると、短絡して電気火災等になる恐れがあり、特に、台所や浴室等の場所において、上記の意外がよく発生する。
【０００３】
また、従来のソケットの内部に、端子が設置されるため、不意に雑物が挿入されて短絡すれば、同じように、電気火災等が発生する恐れがある。
【０００４】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００５】
本考案の主な目的は、撥水層と第一排水穴とを有し、排水を補助して短絡の状況を防止できるソケットを提供する。
【０００６】
本考案の他の目的は、保護機制を発揮する接触部を有して、誤って雑物を挿入して短絡になる状況を防止できるソケットを提供する。
【課題を解決するための手段】
【０００７】
請求項１の考案は、ソケットパネルと、上記ソケットパネルの下方に設置され、少なくとも一対のスロットと少なくとも二つのつの段差部があり、上記少なくとも二つの段差部が、上記少なくとも一対のスロットの周りに設けられる撥水層と、上記撥水層の下方に設置され、上記少なくとも一対のスロットに対応する少なくとも二つの端子があり、上記少なくとも二つの端子に対応して、少なくとも二つの導電銅シートと少なくとも二つの絶縁押しブロック及び二つの金属シートが設置される接触部と、上記接触部を収納すうための開口が形成され、上記ソケットパネルと上記撥水層とが、順に、上記開口の一つの周縁に実装される底座と、が含有され、上記撥水層が、上記底座の上記開口の上記周縁に実装された後、上記撥水層の四隅に、四つの第一排水穴が形成される、ことを特徴とするソケットである。
【０００８】
請求項２の考案は、上記少なくとも一対のスロットが、二対のスロットで、上記少なくとも二つの段差部が、四つの段差部で、上記少なくとも二つの端子が、四つの端子で、少なくとも二つの導電銅シートが、四つの導電銅シートで、少なくとも二つの絶縁押しブロックが、四つの絶縁押しブロックであることを特徴とする請求項１に記載のソケットである。
【０００９】
請求項３の考案は、上記二対のスロットが、それぞれ、上記ソケットパネルの左右側に設置され、上記四つの端子が、上記二対のスロットに対応して、それぞれ、上記ソケットパネル下方の上記底座の左側上下端と右側上下端に設置されることを特徴とする請求項２に記載のソケットである。
【００１０】
請求項４の考案は、上記二つの金属シートが、それぞれ、上記底座の上下側に設置され、各上記絶縁押しブロックが、各上記端子と各上記金属シートとの間に設置されて、各上記端子に接触し、各上記導電銅シートの一端が、上記絶縁押しブロックに接触し、また、各上記導電銅シートのもう一端が、各上記端子のもう一端に隣り合い、また、各上記端子のもう一端に接触していないことを特徴とする請求項３に記載のソケットである。
【００１１】
請求項５の考案は、上記底座ともに、各上記端子に対応して、底部があり、上記底部の四隅に、それぞれ、第二排水穴が設置される。ことを特徴とする請求項３に記載のソケットである。
【００１２】
請求項６の考案は、上記導電銅シートが、Ｕ文字導電銅シートであることを特徴とする請求項１に記載のソケットである。
【００１３】
請求項７の考案は、上記ソケットパネルに、飾り板や実装板及びモジュールが含有されることを特徴とする請求項１に記載のソケットである。
【００１４】
以下、図面を参照しながら、本考案の特徴や技術内容について、詳しく説明するが、それらの図面等は、参考や説明のためであり、本考案は、それによって制限されることが無い。
【考案を実施するための最良の形態】
【００１５】
図１と図２を参照し、本考案に係るソケット１００は、ソケットパネル１１０と撥水層１２０、接触部１３０及び底座１４０が備えられる。
【００１６】
同時に、図３を参照するように、撥水層１２０は、ソケットパネル１１０の下方に設置され、少なくとも一対のスロット１２２と少なくとも二つの段差部１２４があり、また、少なくとも二つの段差部１２４が、少なくとも一対のスロット１２２の周縁に設けられる。接触部１３０は、撥水層１２０の下方に設置され、少なくとも一対のスロット１２２に対応する少なくとも二つの端子１３２と、少なくとも二つの端子１３２に対応して設置された少なくとも二つの導電銅シート１３４、少なくとも二つの絶縁押しブロック１３６及び二つの金属シート１３８が備えられる。
【００１７】
本実施例において、少なくとも一対のスロット１２２と少なくとも二つの段差部１２４、少なくとも二つの端子１３２、少なくとも二つの導電銅シート１３４及び少なくとも二つの絶縁押しブロック１３６は、それぞれ、二対のスロット１２２と四つの段差部１２４、四つの端子１３２、四つの導電銅シート１３４及び四つの絶縁押しブロック１３６があるが、それによって制限されることない。即ち、少なくとも一対のスロット１２２と少なくとも二つの段差部１２４、少なくとも二つの對端子１３２、少なくとも二つの導電銅シート１３４及び少なくとも二つの絶縁押しブロック１３６は、一対のスロット１２２と二つの段差部１２４、二つの端子１３２、二つの導電銅シート１３４及び二つの絶縁押しブロック１３６があってもよい。
【００１８】
図６のように、底座１４０は、開口１４２と四つの底部１４４を有し、開口１４２に、接触部１３０が収納され、ソケットパネル１１０と撥水層１２０とが、順に開口１４２のその一つの周縁に実装され、四つの底部１４４が、各端子１３２に対応して設置され、底部１４４の四隅に、それぞれ、第二排水穴１４６が設置される。その中、撥水層１２０が、底座１４０の開口１４２の周縁に実装された後、撥水層１２０の四隅により、それぞれ、それに対応して四つの第一排水穴１２６が形成される。
【００１９】
また、図２のように、ソケットパネル１１０には、更に、飾り板１１２と実装板１１４及びモジュール１１６が備えられる。
【００２０】
図４と図５のように、水が、撥水層１２０に侵入した後、その大部分の水が、段差部１２４によって、撥水層１２０の四隅に設置された第一排水穴１２６に案内され、その後、底座１４０から排出され、また、図６のように、わずか一部の水が、底座１４０の底部１４４まで流れても、底部１４４の四隅に設置された第二排水穴１４６により、底座１４０から排出されるため、本考案のソケット１００に撥水機能を持たせる目的が実現される。
【００２１】
図７と図８のように、本考案の特徴は、接触部１３０が有する端子１３２と導電銅シート１３４、絶縁押しブロック１３６及び金属シート１３８同士の間において、その設置関係にある。その中、二対のスロット１２２が、それぞれ、ソケットパネル１１０の左右側に設置され、四つの端子１３２が、二対のスロット１２２に対応し、それぞれ、ソケットパネル１１０下方の底座１４０の左側の上下端と右側の上下端に設置される。
【００２２】
ソケット１００の左側の上下端にある二つの端子１３２を例として、二つの金属シート１３８が、それぞれ、底座１４０の上下端に設置され、二つの絶縁押しブロック１３６が、それぞれ、上端端子１３２と上端金属シート１３８との間及び、下端端子１３２と下端金属シート１３８との間に設置され、二つの絶縁押しブロック１３６が、それぞれ、左側の上下端の二つの端子１３２に接触し、上端に設置された導電銅シート１３４の一端が、上端にある絶縁押しブロック１３６に接触し、また、上端に設置された導電銅シート１３４のもう一端が、下端端子１３２に隣り合い、また、下端端子１３２と接触しない。この時、上端にある導電銅シート１３４と金属シート１３８との間に、隙間１６０があるため、本考案のソケット１００が、外部電線１７０とは、導通していない。
【００２３】
本実施例によれば、導電銅シート１３４は、Ｕ文字導電銅シートであることが好ましく、二つの導電銅シート１３４は、一部に重ね合って、二つの金属シート１３８の間に設置される。
【００２４】
また、図９と図１０のように、プラグのプラグ導電部１５０が、一対の端子１３２の間に挿入された時、端子１３２が、強制に分離されて、上下端の絶縁押しブロック１３６が、それに連動されて、それぞれ、外へ向かって二つの導電銅シート１３４を附勢し、二つの導電銅シート１３４が、それぞれ、上下端の金属シート１３８に接触して導電し（矢印Ａ、Ｂの指した箇所に）、そのため、本考案のソケット１００とプラグが、外部電線１７０と導通するようになる。
【００２５】
また、図１１と図１２のように、雑物１８０が、左側上端の端子１３２に挿入された時、左側上端の端子１３２だけが、強制に分離されて、左側上端の絶縁押しブロック１３６が連動され、外へ導電銅シート１３４を附勢し、これにより、左側上端の導電銅シート１３４の一端（上部端）が、左側上端の金属シート１３８に接触させ、左側下端の導電銅シート１３４の一端（上部端）が、左側上端の端子１３２（矢印Ａの指した箇所に）に接触させるが、左側上端の導電銅シート１３４のもう一端（下部端）が、左側下端の端子１３２に接触させなく、左側下端の導電銅シート１３４のもう一端（下部端）が、左側下端の金属シート１３８（矢印Ｂの指した箇所に）に接触させないため、この時、ソケット１００に、導電せず、誤挿入することを防止できる。
【００２６】
そのため、本考案は、より進歩的かつより実用的で、法に従って実用新案登録請求を出願する。
【００２７】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００２８】
【図１】本考案の外観立体図
【図２】本考案の分解図
【図３】本考案の撥水層と底座の立体図
【図４】本考案の撥水層の排水概念図
【図５】本考案の撥水層と底座の上面図
【図６】本考案の底座部分の断面図
【図７】本考案の端子がオフされた時の状態図
【図８】本考案の端子がオフ状態の立体図
【図９】本考案の端子がオンされた時の状態図
【図１０】本考案の端子がオン状態の立体図
【図１１】本考案の端子の誤挿入防止の概念図
【図１２】本考案の単一端子が誤挿入接触によるオンになる状態の立体図
【符号の説明】
【００２９】
１００  ソケット
１１０  ソケットパネル
１１２  飾り板
１１４  実装板
１１６  モジュール
１２０  撥水層
１２２  スロット
１２４  段差部
１２６  第一排水穴
１３０  接触部
１３２  端子
１３４  導電銅シート
１３６  絶縁押しブロック
１３８  金属シート
１４０  底座
１４２  開口
１４４  底部
１４６  第二排水穴
１５０  プラグ導電部
１６０  隙間
１７０  外部電線
１８０  雑物
【図１】
0003188485.tif 000003
【図２】
0003188485.tif 000004
【図３】
0003188485.tif 000005
【図４】
0003188485.tif 000006
【図５】
0003188485.tif 000007
【図６】
0003188485.tif 000008
【図７】
0003188485.tif 000009
【図８】
0003188485.tif 000010
【図９】
0003188485.tif 000011
【図１０】
0003188485.tif 000012
【図１１】
0003188485.tif 000013
【図１２】
0003188485.tif 000014